(57)【特許請求の範囲】
【請求項１】
回転爪ラッチであって、
ハウジングと、
前記ラッチを作動させるための、ハンドルとボタンから成るグループから選択される手段と、
ラッチ掛け位置とラッチ外れ位置との間の回転運動のための、前記ハウジングによって支持されている、段を有する爪と、
前記ラッチ外れ位置に向けて前記爪を偏倚させるばねと、
前記爪を前記ラッチ掛け位置に維持するために前記段と係合可能である、前記ハウジングによって支持されているロックバーであって、弾性スプリング部材として形成されたロックバーと、を備え、
前記ラッチが作動させられる時に、前記爪が前記ラッチ外れ位置に向かって回転し始めることを可能にするように、前記段との係合を解除する形に前記ロックバーを移動させるために、前記ロックバーは前記爪の回転軸線に向かって移動させられ、そして
前記爪がロックバー用のスロットを有していて、前記ロックバーが前記ロックバー用のスロットを介して延在しており、前記爪が前記ラッチ外れ位置にある場合、前記ロックバーは、前記爪の前記ロックバー用のスロットの内部カムの輪郭により、自然な無負荷状態に戻ることが可能である、
回転爪ラッチ。
【請求項２】
ハンドルとボタンから成るグループから選択される前記手段は、前記爪が前記ラッチ外れ位置に回転し終わるように釈放されなければならない請求項１に記載の回転爪ラッチ。
【請求項３】
ハンドルとボタンから成るグループから選択される前記手段は、前記ラッチを作動させるために前記ハウジングに対して相対的に内方に押されなければならないボタンである請求項２に記載の回転爪ラッチ。
【請求項４】
前記ボタンは前記ボタンの移動を案内するための一体化されたガイドレールを備えている請求項３に記載の回転爪ラッチ。
【請求項５】
前記ボタンは、前記ハウジング内で前記ボタンを心出しするための弾性スプリング部材を備えている請求項４に記載の回転爪ラッチ。
【請求項６】
前記ハウジング内で前記ボタンを心出しするための弾性スプリング部材をさらに備えている請求項４に記載の回転爪ラッチ。
【請求項７】
前記ボタンは、前記ハウジング内で前記ボタンを心出しするための弾性スプリング部材を備えている請求項３に記載の回転爪ラッチ。
【請求項８】
前記ハウジング内で前記ボタンを心出しするための弾性スプリング部材をさらに備えている請求項３に記載の回転爪ラッチ。
【請求項９】
ハンドルとボタンから成るグループから選択される前記手段は、前記ラッチを作動させるために前記ハウジングに対して相対的に内方に押されなければならないボタンである請求項１に記載の回転爪ラッチ。
【請求項１０】
前記ボタンは前記ボタンの移動を案内するための一体化されたガイドレールを備えている請求項９に記載の回転爪ラッチ。
【請求項１１】
前記ボタンは、前記ハウジング内で前記ボタンを心出しするための弾性スプリング部材を備えている請求項１０に記載の回転爪ラッチ。
【請求項１２】
前記ハウジング内で前記ボタンを心出しするための弾性スプリング部材をさらに備えている請求項１０に記載の回転爪ラッチ。
【請求項１３】
前記ボタンは、前記ハウジング内で前記ボタンを心出しするための弾性スプリング部材を備えている請求項９に記載の回転爪ラッチ。
【請求項１４】
前記ハウジング内で前記ボタンを心出しするための弾性スプリング部材をさらに備えている請求項９に記載の回転爪ラッチ。
【請求項１５】
前記ロックバーが前記爪の前記回転軸線に向かって屈曲され、前記爪が前記ラッチ外れ位置に移動することを可能にしている、請求項１に記載の回転爪ラッチ。
【請求項１６】
ハンドルとボタンから成るグループから選択される前記手段は、前記ラッチを作動させるために前記ハウジングに対して相対的に内方に押されなければならないボタンである請求項１５に記載の回転爪ラッチ。
【請求項１７】
前記ボタンは前記ボタンの移動を案内するための一体化されたガイドレールを備えている請求項１６に記載の回転爪ラッチ。
【請求項１８】
前記ボタンは、前記ハウジング内で前記ボタンを心出しするための弾性スプリング部材を備えている請求項１７に記載の回転爪ラッチ。
【請求項１９】
前記ハウジング内で前記ボタンを心出しするための弾性スプリング部材をさらに備えている請求項１７に記載の回転爪ラッチ。
【請求項２０】
前記ボタンは、前記ハウジング内で前記ボタンを心出しするための弾性スプリング部材を備えている請求項１６に記載の回転爪ラッチ。
【請求項２１】
前記ハウジング内で前記ボタンを心出しするための弾性スプリング部材をさらに備えている請求項１６に記載の回転爪ラッチ。
【請求項２２】
ハンドルとボタンから成るグループから選択される前記手段は、前記ラッチを作動させるために前記ハウジングに対して相対的に内方に押されなければならないボタンである請求項２１に記載の回転爪ラッチ。
【請求項２３】
前記ボタンは前記ボタンの移動を案内するための一体化されたガイドレールを備えている請求項２２に記載の回転爪ラッチ。
【請求項２４】
前記ボタンは、前記ハウジング内で前記ボタンを心出しするための弾性スプリング部材を備えている請求項２３に記載の回転爪ラッチ。
【請求項２５】
前記ハウジング内で前記ボタンを心出しするための弾性スプリング部材をさらに備えている請求項２３に記載の回転爪ラッチ。
【請求項２６】
前記ボタンは、前記ハウジング内で前記ボタンを心出しするための弾性スプリング部材を備えている請求項２２に記載の回転爪ラッチ。
【請求項２７】
前記ハウジング内で前記ボタンを心出しするための弾性スプリング部材をさらに備えている請求項２２に記載の回転爪ラッチ。
【発明の詳細な説明】
【技術分野】
【０００１】
本発明はラッチの分野に関する。
【背景技術】
【０００２】
ラッチは、例えばドアを閉じ位置に固定するといった様々な固定のための用途において使用されている。様々なラッチが当業で公知であるが、どのラッチも、本発明の特有の特徴を教示または示唆することがなく、または、本発明の利点を実現することがないと考えられる。
【発明の概要】
【発明が解決しようとする課題】
【０００３】
本発明は、爪が掛けられる時にラッチに係合し、かつ、ラッチを外すために爪を釈放するように爪の回転軸線に向かって移動するロックバー（ｌｏｃｋ  ｂａｒ）を有する、回転爪ラッチに関する。
【課題を解決するための手段】
【０００４】
このロックバーは、爪の覆いから完全に分離させられるということがない。ロックバーが作動させられる時に爪が回転することを可能にする切り抜きが爪の中に存在する。
【図面の簡単な説明】
【０００５】
【図１】図１は、本発明による回転爪ラッチの第１の実施形態の図である。
【図２】図２は、本発明による回転爪ラッチの第１の実施形態の図である。
【図３】図３は、本発明による回転爪ラッチの第１の実施形態の図である。
【図４】図４は、本発明による回転爪ラッチの第１の実施形態の図である。
【図５】図５は、本発明による回転爪ラッチの第１の実施形態の図である。
【図６】図６は、本発明による回転爪ラッチの第１の実施形態の図である。
【図７】図７は、本発明による回転爪ラッチの第１の実施形態の図である。
【図８】図８は、本発明による回転爪ラッチの第１の実施形態の図である。
【図９】図９は、本発明による回転爪ラッチの第１の実施形態の図である。
【図１０】図１０は、本発明による回転爪ラッチの第１の実施形態の図である。
【図１１】図１１は、本発明による回転爪ラッチの第１の実施形態の図である。
【図１２】図１２は、本発明による回転爪ラッチの第１の実施形態の図である。
【図１３】図１３は、本発明による回転爪ラッチの第１の実施形態の図である。
【図１４】図１４は、本発明による回転爪ラッチの第１の実施形態の図である。
【図１５】図１５は、本発明による回転爪ラッチの第１の実施形態の図である。
【図１６】図１６は、本発明による回転爪ラッチの第１の実施形態の図である。
【図１７】図１７は、本発明による回転爪ラッチの第１の実施形態の図である。
【図１８】図１８は、本発明による回転爪ラッチの第１の実施形態の図である。
【図１９】図１９は、本発明による回転爪ラッチの第１の実施形態の図である。
【図２０】図２０は、本発明による回転爪ラッチの第１の実施形態の図である。
【図２１】図２１は、本発明による回転爪ラッチの第１の実施形態の図である。
【図２２】図２２は、本発明による回転爪ラッチの第１の実施形態の図である。
【図２３】図２３は、本発明による回転爪ラッチの第１の実施形態の図である。
【図２４】図２４は、本発明による回転爪ラッチの第１の実施形態の図である。
【図２５】図２５は、本発明による回転爪ラッチの第１の実施形態の図である。
【図２６】図２６は、本発明による回転爪ラッチの第１の実施形態の図である。
【図２７】図２７は、本発明による回転爪ラッチの第１の実施形態の図である。
【図２８】図２８は、本発明による回転爪ラッチの第１の実施形態の図である。
【図２９】図２９は、本発明による回転爪ラッチの第１の実施形態の図である。
【図３０】図３０は、本発明による回転爪ラッチの第１の実施形態の図である。
【図３１】図３１は、本発明による回転爪ラッチの第１の実施形態の図である。
【図３２】図３２は、本発明による回転爪ラッチの第１の実施形態の図である。
【図３３】図３３は、本発明による回転爪ラッチの第１の実施形態の図である。
【図３４】図３４は、本発明による回転爪ラッチの第１の実施形態の図である。
【図３５】図３５は、本発明による回転爪ラッチの第１の実施形態の図である。
【図３６】図３６は、本発明による回転爪ラッチの第１の実施形態の図である。
【図３７】図３７は、本発明による回転爪ラッチの第１の実施形態の図である。
【図３８】図３８は、本発明による回転爪ラッチの第１の実施形態の図である。
【図３９】図３９は、本発明による回転爪ラッチの第１の実施形態の図である。
【図４０】図４０は、本発明による回転爪ラッチの第１の実施形態の図である。
【図４１】図４１は、本発明による回転爪ラッチの第１の実施形態の図である。
【図４２】図４２は、本発明による回転爪ラッチの第１の実施形態の図である。
【図４３】図４３は、本発明による回転爪ラッチの第１の実施形態の図である。
【図４４】図４４は、本発明による回転爪ラッチの第１の実施形態の図である。
【図４５】図４５は、本発明による回転爪ラッチの第１の実施形態の図である。
【図４６】図４６は、本発明による回転爪ラッチの第１の実施形態の図である。
【図４７】図４７は、本発明による回転爪ラッチの第１の実施形態の図である。
【図４８】図４８は、本発明による回転爪ラッチの第１の実施形態の図である。
【図４９】図４９は、本発明による回転爪ラッチの第１の実施形態の図である。
【図５０】図５０は、本発明による回転爪ラッチの第１の実施形態の図である。
【図５１】図５１は、本発明による回転爪ラッチの第１の実施形態の図である。
【図５２】図５２は、本発明による回転爪ラッチの第１の実施形態の図である。
【図５３】図５３は、本発明による回転爪ラッチの第１の実施形態の図である。
【図５４】図５４は、本発明による回転爪ラッチの第１の実施形態の図である。
【図５５】図５５は、本発明による回転爪ラッチの第１の実施形態の図である。
【図５６】図５６は、本発明による回転爪ラッチの第１の実施形態の図である。
【図５７】図５７は、本発明による回転爪ラッチの第１の実施形態の図である。
【図５８】図５８は、本発明による回転爪ラッチの第１の実施形態の図である。
【図５９】図５９は、本発明による回転爪ラッチの第１の実施形態の図である。
【図６０】図６０は、本発明による回転爪ラッチの第１の実施形態の図である。
【図６１】図６１は、本発明による回転爪ラッチの第１の実施形態の図である。
【図６２】図６２は、本発明による回転爪ラッチの第１の実施形態の図である。
【図６３】図６３は、本発明による回転爪ラッチの第２の実施形態の図である。
【図６４】図６４は、本発明による回転爪ラッチの第２の実施形態の図である。
【図６５】図６５は、本発明による回転爪ラッチの第２の実施形態の図である。
【図６６】図６６は、本発明による回転爪ラッチの第２の実施形態の図である。
【図６７】図６７は、本発明による回転爪ラッチの第２の実施形態の図である。
【図６８】図６８は、本発明による回転爪ラッチの第２の実施形態の図である。
【図６９】図６９は、本発明による回転爪ラッチの第２の実施形態の図である。
【図７０】図７０は、本発明による回転爪ラッチの第２の実施形態の図である。
【図７１】図７１は、本発明による回転爪ラッチの第２の実施形態の図である。
【図７２】図７２は、本発明による回転爪ラッチの第２の実施形態の図である。
【図７３】図７３は、本発明による回転爪ラッチの第２の実施形態の図である。
【図７４】図７４は、本発明による回転爪ラッチの第２の実施形態の図である。
【図７５】図７５は、本発明による回転爪ラッチの第２の実施形態の図である。
【図７６】図７６は、本発明による回転爪ラッチの第２の実施形態の図である。
【図７７】図７７は、本発明による回転爪ラッチの第２の実施形態の図である。
【図７８】図７８は、本発明による回転爪ラッチの第２の実施形態の図である。
【図７９】図７９は、本発明による回転爪ラッチの第２の実施形態の図である。
【図８０】図８０は、本発明による回転爪ラッチの第２の実施形態の図である。
【図８１】図８１は、本発明による回転爪ラッチの第２の実施形態の図である。
【図８２】図８２は、本発明による回転爪ラッチの第２の実施形態の図である。
【図８３】図８３は、本発明による回転爪ラッチの第２の実施形態の図である。
【図８４】図８４は、本発明による回転爪ラッチの第２の実施形態の図である。
【図８５】図８５は、本発明による回転爪ラッチの第２の実施形態の図である。
【図８６】図８６は、本発明による回転爪ラッチの第２の実施形態の図である。
【図８７】図８７は、本発明による回転爪ラッチの第２の実施形態の図である。
【図８８】図８８は、本発明による回転爪ラッチの第２の実施形態の図である。
【図８９】図８９は、本発明による回転爪ラッチの第２の実施形態の図である。
【図９０】図９０は、本発明による回転爪ラッチの第２の実施形態の図である。
【図９１】図９１は、本発明による回転爪ラッチの第２の実施形態の図である。
【図９２】図９２は、本発明による回転爪ラッチの第２の実施形態の図である。
【図９３】図９３は、本発明による回転爪ラッチの第２の実施形態の図である。
【図９４】図９４は、本発明による回転爪ラッチの第２の実施形態の図である。
【図９５】図９５は、本発明による回転爪ラッチの第２の実施形態の図である。
【図９６】図９６は、本発明による回転爪ラッチの第２の実施形態の図である。
【図９７】図９７は、本発明による回転爪ラッチの第２の実施形態の図である。
【図９８】図９８は、本発明による回転爪ラッチの第２の実施形態の図である。
【図９９】図９９は、本発明による回転爪ラッチの第２の実施形態の図である。
【図１００】図１００は、本発明による回転爪ラッチの第２の実施形態の図である。
【図１０１】図１０１は、本発明による回転爪ラッチの第２の実施形態の図である。
【図１０２】図１０２は、本発明による回転爪ラッチの第２の実施形態の図である。
【図１０３】図１０３は、本発明による回転爪ラッチの第２の実施形態の図である。
【図１０４】図１０４は、本発明による回転爪ラッチの第２の実施形態の図である。
【図１０５】図１０５は、本発明による回転爪ラッチの第２の実施形態の図である。
【図１０６】図１０６は、本発明による回転爪ラッチの第２の実施形態の図である。
【図１０７】図１０７は、本発明による回転爪ラッチの第２の実施形態の図である。
【図１０８】図１０８は、本発明による回転爪ラッチの第２の実施形態の図である。
【図１０９】図１０９は、本発明による回転爪ラッチの第２の実施形態の図である。
【図１１０】図１１０は、本発明による回転爪ラッチの第２の実施形態の図である。
【図１１１】図１１１は、本発明による回転爪ラッチの第２の実施形態の図である。
【図１１２】図１１２は、本発明による回転爪ラッチの第２の実施形態の図である。
【図１１３】図１１３は、本発明による回転爪ラッチの第２の実施形態の図である。
【図１１４】図１１４は、本発明による回転爪ラッチの第２の実施形態の図である。
【図１１５】図１１５は、本発明による回転爪ラッチの第２の実施形態の図である。
【図１１６】図１１６は、本発明による回転爪ラッチの第２の実施形態の図である。
【図１１７】図１１７は、本発明による回転爪ラッチの第２の実施形態の図である。
【図１１８】図１１８は、本発明による回転爪ラッチの第２の実施形態の図である。
【図１１９】図１１９は、本発明による回転爪ラッチの第２の実施形態の図である。
【図１２０】図１２０は、本発明による回転爪ラッチの第２の実施形態の図である。
【図１２１】図１２１は、本発明による回転爪ラッチの第２の実施形態の図である。
【図１２２】図１２２は、本発明による回転爪ラッチの第２の実施形態の図である。
【図１２３】図１２３は、本発明による回転爪ラッチの第２の実施形態の図である。
【図１２４】図１２４は、本発明による回転爪ラッチの第２の実施形態の図である。
【図１２５】図１２５は、本発明による回転爪ラッチの第２の実施形態の図である。
【図１２６】図１２６は、本発明による回転爪ラッチの第２の実施形態の図である。
【図１２７】図１２７は、本発明による回転爪ラッチの第２の実施形態の図である。
【図１２８】図１２８は、本発明による回転爪ラッチの第２の実施形態の図である。
【発明を実施するための形態】
【０００６】
２つの実施形態１００、３００が設計されている。両方が同一の基本的な新たな爪機構を使用し、この爪機構は、ラッチが掛けられる時に爪に係合させられ、かつ、ラッチを外すために爪を釈放するように爪の中央部に向かって移動する、ロックバーを有する。このロックバーは、爪の覆いから完全に分離させられるということがない。ロックバーが作動させられる時に爪が回転することを可能にする切り抜きが爪の中に存在する。この実施形態の両方は、ロックバーを作動させるための押しボタン式のユーザインタフェースを使用する。この新たな爪釈放機構によって実現される主な利点が、爪とロックバーとのためのコンパクトな取り付け空間を有する能力であり、このことが、従来の回転爪付きグローブボックスラッチに比べてラッチ全体がより小さく作られることを可能にする。両方の実施形態の間の１つの相違点が、ラッチに対して、および、したがって、ラッチ内の回転爪の方向配置に対して、ストライカが相対的に移動する方向である。別のわずかな相違点が、爪の切り抜きにある。実施形態１００では、ボタンが完全に押し下げられる時に爪が完全に開き位置まで回転しきることがなく、したがって、そのボタンが釈放されるまでストライカは爪から完全に外れるということがない。実施形態３００では、ボタンが完全に押し下げられる時に爪が完全に回転しきる。切り抜きすなわちロックバースロットの輪郭の形状上の相違が、実施形態１００の爪の切り抜き区域を最小化することによって爪を可能な限り強靱にするという要望の結果である。この２つの実施形態の間の別の相違点が、押しボタンの動作の仕方にある。実施形態１００は、押しボタンの下方に２つのプランジャー脚部を有しかつ２つの円筒形の圧縮ばねの上に載る、相対的に単純な形態である。このボタンは、プランジャー脚部の遠端上に留め具によって固定されている。プランジャー上のＯリングが、ボタンのストロークが押し下げ位置と引き伸ばし位置との両方において底を打つ時に、そのボタンの衝撃を和らげる。実施形態３００では、ボタンは、ストロークの騒音の最小化を促進するために、２つのねじりばねの上に載る。これに加えて、このボタンは、このボタンが押し下げられる時にこのボタンがコッキング（ｃｏｃｋｉｎｇ）しないように案内することを促進するための長い差込み脚部（ｂａｙｏｎｅｔ  ｌｅｇ）も有する。さらに、このボタンは、ハウジング内で心出しされた状態にボタンの頂部を維持することを促進するために、このボタンの頂部周縁部の周りにリビングばね脚部要素（ｌｉｖｉｎｇ  ｓｐｒｉｎｇ  ｆｅａｔｕｒｅ）も有する。この２つの実施形態に共通している爪機構が、この２つの例示的な実施形態１００、３００によって例示されているように、ロックバーを作動させるための様々な機構との組合せの形で使用されることが可能である。この爪機構は、さらに、作動のための持ち上げハンドルを用いて使用されてもよく、および、こうした組合せが本発明の範囲内に属するものとして想定されている。
【０００７】
第１の実施形態
回転爪ラッチの実施形態１００は、ハウジング１０２と、一体化されたガイドレール１１８を有するボタン１０４と、爪１０６と、爪ねじりばね１０８と、ロックバー１１０と、１つまたは複数のボタン圧縮ばね１１２と、Ｏリング１１４、１３６またはグロメットバンパ（ｇｒｏｍｍｅｔ  ｂｕｍｐｅｒ）（図示されていない）と、１つまたは複数の押しスタッド（ｐｕｓｈ  ｓｔｕｄ）１１６とから成る。
【０００８】
アセンブリ状態では、爪ねじりばね１０８は爪柱１２０の周りに取り付けられており、および、このサブアセンブリがその後でハウジング１０２内にスナップ嵌めされる。その次に、ロックバー１１０が、ハウジング１０２の側方から、および、ハウジングの中央タワー（ｃｅｎｔｒａｌ  ｔｏｗｅｒ）１２２と爪１０６のロックバースロット１２４との両方を通して滑り込まされることが可能である。ボタン１０４は、ボタンばね１１２と共に、ハウジング１０２内に取り付けられており、および、一体化されているガイドレール１１８がボタン１０４の位置と移動の両方に幾らかの抑制を与える。Ｏリング１１４、１３６は、ハウジング１０２内の穴１２８の中を通って延びるボタン１０４の中心線ガイドポスト１２６上に配置されている。押しスタッド１１６は、アセンブリ全体を一体状に保つためにボタンのガイドポスト１２６の中に取り付けられている。あるいは、代替案として、ボタン１０４上のＯリング１１４、１３６の代わりに、ハウジング１０２の中に取り付けられている１組のグロメットを使用して設計が行われることが可能であり、および、押しスタッド１１６の代わりにスナップイン要素（ｓｎａｐ  ｉｎ  ｆｅａｔｕｒｅ）を使用する変形例が存在する。
【０００９】
「ラッチ掛け」状態（例えば、図１０に示されている）では、爪ねじりばね１０８が爪１０６を（例えば図２８に示されている）ラッチ外れ位置に向けて偏倚させて爪１０６をロックバー１１０に強制的に押し付け、および、ストライカ１３０が爪１０６の喉部１３２とハウジングタワー１２２との間に完全に束縛される。一方、ロックバー１１０は、ハウジング１０２の中央タワー１２２と爪１０６の階段状部分１３４とに押し当たって二重の剪断変形（ｄｏｕｂｌｅ  ｓｈｅａｒ）の形で保持される。ボタン１０４は、ばね１１２によって（例えば図２７に示されている）最も外側の位置に偏倚させられ、および、Ｏリング１１４は、ボタン１０４の位置を維持するようにハウジング１０２上で底を打つ。ボタン１０４の中央リブ１３８はロックバー１１０の直ぐ近くに位置しており、および、例えば図９と図１０とに示されているように、ロックバー１１０にほぼ接触している。ロックバー１１０は、中央リブ１３８と、爪ポスト１２０によって画定される爪１０６の回転軸線との間のほぼ中間に配置されている。爪ばね１０８は、さらに、爪１０６をラッチ外れ位置に向かって偏倚させるために、爪１０６の喉部１３２の開口部の一方の側に爪１０６を係合させるループ１４０を有する。このループ１４０は、さらに、ストライカ１３０上に幾らかの予荷重を置くために、爪１０６の喉部１３２の一部分に沿って延びる。このことが、ストライカ／爪境界面に関係する唸り音と軋み音とガラガラ音とを減少させる。
【００１０】
動作時には、ボタン１０４が、ハウジング１０２の本体の中への押し下げ位置（例えば図３８と図３７とに示されている）に押し下げられる。ボタン１０４がハウジング１０２に対して内方に直線的に移動する時に、ボタン１０４の一体的なガイド１１８、１２６がそのボタンの移動を安定化させる働きをし、および、２つの中央リブ１３８がロックバー１１０に対して作用し始める。ボタン１０４を押し続けることが、中央リブ１３８が爪１０６の中央部すなわち回転軸線に向かってロックバー１１０を湾曲させることを生じさせる（ロックバー１１０は、例えば図９と図１０とに示されている「ラッチ掛け」位置において自然の無荷重状態を有するリビングばね（ｌｉｖｉｎｇ  ｓｐｒｉｎｇ）設計である）。ロックバー１１０が爪１０６の中央部に向かって移動する時に、爪１０６上のねじりばね荷重が、例えば図２８に示されているラッチ外れ位置に爪１０６を移動させようと働く。ボタン１０４がハウジング１０２の内方に十分に遠くまで移動させられ終わると、ロックバー１１０は、図３８に示されているように、爪１０６内の段１３４との噛み合い状態から分離し、および、爪１０６はねじりばね１０８の偏倚力を受けてラッチ外れ位置へと回転を開始することが可能である。このことが、ストライカ１３０が釈放されることを可能にし、かつ、図２８と図２９とに示されているようにドア１４２が開かれることを可能にする。ボタン１０４を押し下げ続けることが、内側のＯリング１３６が、Ｏリング１１４に対して他方に位置するハウジング１０２の側部に突き当たることを生じさせるだろう。このことが動作騒音の減少を促進する。ボタン１０４が完全に押し下げられている限り、爪１０６は完全には開かずに、ボタン１０４の釈放時にラッチ外れ位置に移動してそのまま残留するようにされる。ボタン１０４が釈放されると、爪１０６はラッチ外れ位置への回転を終了することが可能であり、および、ボタン１０４はその最も外側の位置に戻り、および、同様に動作騒音を減少させるようにハウジング１０２に押し付けてＯリング１１４を完全停止させる。爪１０６がラッチ外れ位置にありかつボタン１０４が釈放されているので、ロックバー１１０は弛緩することを可能にされ、かつ、爪１０６のロックバースロット１２４の内側カムプロファイル（ｉｎｎｅｒ  ｃａｍ  ｐｒｏｆｉｌｅ）の形状によって、図９、図１０、図２７、図２８に示されているそのロックバー１１０の自然な無荷重状態に戻ることが可能にされる。
【００１１】
ラッチを掛ける時には、ストライカ１３０が爪の喉部１３２に対する位置に送り込まれ、および、図１１に示されている閉じ位置にドア１４２が移動させられる時に、爪１０６を回転させてラッチ掛け位置に戻し始める。爪１０６が回転するにつれて、爪１０６とストライカ１３０とドア１４２とをそのラッチ掛け位置すなわち閉じ位置に固定して保持するようにロックバー１１０が後方に跳ね戻って段１３４との係合状態になることが可能になるまで、爪１０６の内側カムプロファイル１４４がロックバー１１０を再び爪１０６の中央部に向けて湾曲させる。ボタン１０４はこの動作中は動かない。ストライカ１３０は、爪１０６とハウジングタワー１２２とによって再び束縛される。
【００１２】
代替案の設計が、ボタン１０４上のＯリング１１４、１３６の代わりに、ハウジング１０２内に取り付けられているグロメットを使用することに留意されたい。機能的には、この設計は、ハードポイント（ｈａｒｄ  ｐｏｉｎｔ）がハウジング１０２上ではなくボタン１０４上にあるということを除いて非常に類似している。開放時には、ボタン１０４がグロメット上に衝突して騒音を減少させ、および、閉鎖時には、ボタン１０４内の押しスタッド１１６がグロメットに押し当たって完全停止するだろう。
【００１３】
第２の実施形態
実施形態３００の動作は実施形態１００の動作に非常に類似している。ボタン３０４を押すことが、爪３０６の中央部すなわち回転軸線に向けてロックバー３１０を湾曲させて、爪３０６がラッチ外れ位置に移動することを可能にする。ラッチ３００とラッチ１００との間の主要な相違点が、位置合わせ要素とばねの使用とにある。ラッチ３００は、ボタン３０４をより直線的に案内することを促進するために内側においてより大きい接触面積を有し、および、側方「リビング」ばね３４６が、ハウジング３０２の内側でボタン面板３５０をより適切に束縛しかつ心出しするためにボタン支持物３４８上に含まれている。
【００１４】
ラッチ３００は、さらに、ラッチ１００の圧縮ばねの代わりに、ねじりばね３１２を内側において使用する。これは、潜在的な騒音問題の軽減を促進するために行われた．ラッチ３００上には消音材要素は存在しない。
【００１５】
ラッチ３００は、ボタン支持物３４８上に側方アーム３１８、３２６を増加させることによる、および、ハウジング３０２内においてボタン３０４をより適切に心出しするために支持物３４８の側部上に「リビング」ばね３４６を導入することによる、位置合わせ要素の改良を含む。ボタン区域内の圧縮ばね１１２は、騒音問題を抑制するために、ねじりばね３１２と交換された。ボタン３０４は、さらに、このボタン３０４のための内部部品と同一の内部部品を使用することが依然として可能であると同時に面板の幾何学的形状と審美的な意匠とのより高度の調節／変形を可能にするために、支持物３４８と面板３５０である２つの部品の形に作られた。このことが、面板３５０の審美的意匠の変更に関連した工具細工コストを減少させる。
【００１６】
爪の喉部３３２は、さらに、用途の要件に応じてドア１４２、３４２の開放時のストライカ１３０、３３０の相対的な移動の方向を基準としてボタン３０４の直線移動方向を再び方向付けるために、ラッチ１００の爪喉部１３２に対して相対的に回転させられた。この機能は、ロックバー３１０が爪３０６に内側にあり、かつ、爪３０６の中央部に向かって移動または湾曲することによって爪３０６を釈放するという点において類似している。
【００１７】
本発明は、上述の実施形態だけに限定されず、および、添付されている特許請求項とその等価物との範囲内のすべての実施形態を包含するということを理解されたい。
【図１】
0005571383.tif 000002
【図２】
0005571383.tif 000003
【図３】
0005571383.tif 000004
【図４】
0005571383.tif 000005
【図５】
0005571383.tif 000006
【図６】
0005571383.tif 000007
【図７】
0005571383.tif 000008
【図８】
0005571383.tif 000009
【図９】
0005571383.tif 000010
【図１０】
0005571383.tif 000011
【図１１】
0005571383.tif 000012
【図１２】
0005571383.tif 000013
【図１３】
0005571383.tif 000014
【図１４】
0005571383.tif 000015
【図１５】
0005571383.tif 000016
【図１６】
0005571383.tif 000017
【図１７】
0005571383.tif 000018
【図１８】
0005571383.tif 000019
【図１９】
0005571383.tif 000020
【図２０】
0005571383.tif 000021
【図２１】
0005571383.tif 000022
【図２２】
0005571383.tif 000023
【図２３】
0005571383.tif 000024
【図２４】
0005571383.tif 000025
【図２５】
0005571383.tif 000026
【図２６】
0005571383.tif 000027
【図２７】
0005571383.tif 000028
【図２８】
0005571383.tif 000029
【図２９】
0005571383.tif 000030
【図３０】
0005571383.tif 000031
【図３１】
0005571383.tif 000032
【図３２】
0005571383.tif 000033
【図３３】
0005571383.tif 000034
【図３４】
0005571383.tif 000035
【図３５】
0005571383.tif 000036
【図３６】
0005571383.tif 000037
【図３７】
0005571383.tif 000038
【図３８】
0005571383.tif 000039
【図３９】
0005571383.tif 000040
【図４０】
0005571383.tif 000041
【図４１】
0005571383.tif 000042
【図４２】
0005571383.tif 000043
【図４３】
0005571383.tif 000044
【図４４】
0005571383.tif 000045
【図４５】
0005571383.tif 000046
【図４６】
0005571383.tif 000047
【図４７】
0005571383.tif 000048
【図４８】
0005571383.tif 000049
【図４９】
0005571383.tif 000050
【図５０】
0005571383.tif 000051
【図５１】
0005571383.tif 000052
【図５２】
0005571383.tif 000053
【図５３】
0005571383.tif 000054
【図５４】
0005571383.tif 000055
【図５５】
0005571383.tif 000056
【図５６】
0005571383.tif 000057
【図５７】
0005571383.tif 000058
【図５８】
0005571383.tif 000059
【図５９】
0005571383.tif 000060
【図６０】
0005571383.tif 000061
【図６１】
0005571383.tif 000062
【図６２】
0005571383.tif 000063
【図６３】
0005571383.tif 000064
【図６４】
0005571383.tif 000065
【図６５】
0005571383.tif 000066
【図６６】
0005571383.tif 000067
【図６７】
0005571383.tif 000068
【図６８】
0005571383.tif 000069
【図６９】
0005571383.tif 000070
【図７０】
0005571383.tif 000071
【図７１】
0005571383.tif 000072
【図７２】
0005571383.tif 000073
【図７３】
0005571383.tif 000074
【図７４】
0005571383.tif 000075
【図７５】
0005571383.tif 000076
【図７６】
0005571383.tif 000077
【図７７】
0005571383.tif 000078
【図７８】
0005571383.tif 000079
【図７９】
0005571383.tif 000080
【図８０】
0005571383.tif 000081
【図８１】
0005571383.tif 000082
【図８２】
0005571383.tif 000083
【図８３】
0005571383.tif 000084
【図８４】
0005571383.tif 000085
【図８５】
0005571383.tif 000086
【図８６】
0005571383.tif 000087
【図８７】
0005571383.tif 000088
【図８８】
0005571383.tif 000089
【図８９】
0005571383.tif 000090
【図９０】
0005571383.tif 000091
【図９１】
0005571383.tif 000092
【図９２】
0005571383.tif 000093
【図９３】
0005571383.tif 000094
【図９４】
0005571383.tif 000095
【図９５】
0005571383.tif 000096
【図９６】
0005571383.tif 000097
【図９７】
0005571383.tif 000098
【図９８】
0005571383.tif 000099
【図９９】
0005571383.tif 000100
【図１００】
0005571383.tif 000101
【図１０１】
0005571383.tif 000102
【図１０２】
0005571383.tif 000103
【図１０３】
0005571383.tif 000104
【図１０４】
0005571383.tif 000105
【図１０５】
0005571383.tif 000106
【図１０６】
0005571383.tif 000107
【図１０７】
0005571383.tif 000108
【図１０８】
0005571383.tif 000109
【図１０９】
0005571383.tif 000110
【図１１０】
0005571383.tif 000111
【図１１１】
0005571383.tif 000112
【図１１２】
0005571383.tif 000113
【図１１３】
0005571383.tif 000114
【図１１４】
0005571383.tif 000115
【図１１５】
0005571383.tif 000116
【図１１６】
0005571383.tif 000117
【図１１７】
0005571383.tif 000118
【図１１８】
0005571383.tif 000119
【図１１９】
0005571383.tif 000120
【図１２０】
0005571383.tif 000121
【図１２１】
0005571383.tif 000122
【図１２２】
0005571383.tif 000123
【図１２３】
0005571383.tif 000124
【図１２４】
0005571383.tif 000125
【図１２５】
0005571383.tif 000126
【図１２６】
0005571383.tif 000127
【図１２７】
0005571383.tif 000128
【図１２８】
0005571383.tif 000129